(57)【特許請求の範囲】
【請求項１】
固定面に固定され直管形ＬＥＤランプを両端から保持する一対のソケットと、
前記一対のソケットの間で前記直管形ＬＥＤランプを保持する保持具と、
を備える照明器具であって、
前記保持具は、
開口部を有し、前記直管形ＬＥＤランプを着脱自在に保持するホルダと、
前記開口部を閉塞する係止機構と、を有し、
前記ホルダは、
形状が異なり前記固定面から前記直管形ＬＥＤランプまでの高さが異なる複数種類の前記ソケットに対応して前記直管形ＬＥＤランプを高さが異なる位置で保持する保持位置を複数有する
ことを特徴とする照明器具。
【請求項２】
前記保持具は、
絶縁部材を介して前記照明器具に固定される
ことを特徴とする請求項１に記載の照明器具。
【請求項３】
請求項１または請求項２に記載された照明器具と、
前記直管形ＬＥＤランプと、を備える
ことを特徴とする照明装置。
【発明の詳細な説明】
【技術分野】
【０００１】
本発明は、照明器具および照明装置に関する。
【背景技術】
【０００２】
ワット数の小さな直管形蛍光ランプを多数用いる方式よりも、ワット数の大きな直管形蛍光ランプを少数用いる方式のほうが、設置する照明器具や直管形蛍光ランプの数を少なくすることができるため経済的である。このため、管長の長い（例えば、２３００〜２４００ｍｍ）直管形蛍光ランプ（例えば、１１０Ｗ直管形蛍光ランプ）を用いる照明器具や照明装置が知られている。
【０００３】
特許文献１には、直管形蛍光ランプの長手方向に沿ったたわみを阻止し、また、直管形蛍光ランプがたわむことにより直管形蛍光ランプが照明器具から脱落することを阻止するために、直管形蛍光ランプを弾発的に着脱自在に保持する補助ランプホルダを備える天井用露光形蛍光灯器具（照明器具）が開示されている。
【０００４】
また、近年では、蛍光ランプ（直管形蛍光ランプ）に代わって、発光ダイオード（Light Emitting Diode；ＬＥＤ）を用いたＬＥＤランプ（直管形ＬＥＤランプ）が普及しつつある。ＬＥＤランプ（直管形ＬＥＤランプ）は、蛍光ランプ（直管形蛍光ランプ）と比較して、ランニングコストにおいて優れている。また、例えば高所に設置された照明器具のように、容易にランプを交換できない照明器具のランプとして、寿命が長い（蛍光ランプが例えば定格寿命１２，０００時間であるのに対し、ＬＥＤランプは例えば定格寿命４０，０００時間）ＬＥＤランプ（直管形ＬＥＤランプ）が用いられている。
【０００５】
特許文献２に開示されたＬＥＤ照明装置は、直管形ＬＥＤランプの内部に、基板上に実装された複数のＬＥＤ素子と、ＬＥＤ素子から発する熱を放熱するための金属製（例えば、アルミニウム）のヒートシンクと、ＡＣ／ＤＣコンバータ（ＬＥＤ駆動回路）と、を備え、照明器具から供給される商用電源（交流電源；ＡＣ）をＡＣ／ＤＣコンバータにより直流電源（ＤＣ）に変換してＬＥＤを駆動させるようになっている。また、特許文献３のように、照明器具の内部に整流回路（ＡＣ／ＤＣコンバータに相当）が設けられ、照明器具から供給される直流電源によりＬＥＤを駆動させる場合もある。
なお、特許文献２および特許文献３に開示された照明器具において、直管形ＬＥＤランプは、直管形ＬＥＤランプの口金（口金ピン）を照明器具のソケットに嵌合させることにより、照明器具に固定するようになっている。
【先行技術文献】
【特許文献】
【０００６】
【特許文献１】特開２０００−２５１５２２号公報
【特許文献２】特開２０１１−１０８３７８号公報
【特許文献３】特開２０１１−２５３７３２号公報
【発明の概要】
【発明が解決しようとする課題】
【０００７】
特許文献２に示すように、直管形ＬＥＤランプは、内部にＬＥＤ素子が実装された基板や、金属製のヒートシンク等を備えるため、ガスが封入される直管形蛍光ランプと比較して、重くなっている。このため、直管形ＬＥＤランプにおいて、長手方向に沿ってたわむことにより直管形ＬＥＤランプが照明器具から脱落するおそれがあった。また、特許文献１に開示された補助ランプホルダでは、直管形蛍光ランプと比較して重い直管形ＬＥＤランプを保持するには十分とはいえなかった。
【０００８】
そこで、本発明は、直管形ＬＥＤランプを保持する照明器具および照明装置を提供することを課題とする。
【課題を解決するための手段】
【０００９】
このような課題を解決するために、本発明は、固定面に固定され直管形ＬＥＤランプを両端から保持する一対のソケットと、前記一対のソケットの間で前記直管形ＬＥＤランプを保持する保持具と、を備える照明器具であって、前記保持具は、開口部を有し、前記直管形ＬＥＤランプを着脱自在に保持するホルダと、前記開口部を閉塞する係止機構と、を有し、前記ホルダは、形状が異なり前記固定面から前記直管形ＬＥＤランプまでの高さが異なる複数種類の前記ソケットに対応して前記直管形ＬＥＤランプを高さが異なる位置で保持する保持位置を複数有することを特徴とする照明器具である。
【００１０】
また、本発明は、前記照明器具と、前記直管形ＬＥＤランプと、を備えることを特徴とする照明装置である。
【発明の効果】
【００１１】
本発明によれば、直管形ＬＥＤランプを保持する照明器具および照明装置を提供することができる。
【図面の簡単な説明】
【００１２】
【図１】第１実施形態に係る照明装置の斜視図である。
【図２】（ａ）は保持具の斜視図であり、（ｂ）はホルダの斜視図であり、（ｃ）は係止部材の斜視図であり、（ｄ）はスペーサの斜視図である。
【図３】保持具の一部を拡大した断面図である。
【図４】直管形ＬＥＤランプおよび保持具を備える照明器具を、長手方向を法線とする面で切断した断面図であり、（ａ）は係止が解除されている状態を示し、（ｂ）は第１ホルダ部で保持し係止されている状態を示し、（ｃ）は第２ホルダ部で保持し係止されている状態を示す。
【図５】管形ＬＥＤランプおよび保持具を備える逆富士形の照明器具を、長手方向を法線とする面で切断した断面図である。
【図６】直管形ＬＥＤランプの取り付け方法の変形例を説明する図である。
【図７】第２実施形態に係る照明装置に用いられる保持具を説明する図であり、（ａ）は保持具の分解斜視図であり、（ｂ）は保持具が直管形ＬＥＤランプを保持している状態の斜視図である。
【図８】第３実施形態に係る照明装置に用いられる保持具を説明する図であり、（ａ）は保持具の分解斜視図であり、（ｂ）は保持具が直管形ＬＥＤランプを保持している状態の斜視図である。
【発明を実施するための形態】
【００１３】
以下、本発明を実施するための形態（以下「実施形態」という）について、適宜図面を参照しながら詳細に説明する。なお、各図において、共通する部分には同一の符号を付し重複した説明を省略する。
【００１４】
≪第１実施形態≫
＜照明装置＞
図１は、第１実施形態に係る照明装置の斜視図である。
照明装置は、ＬＥＤ（Light Emitting Diode）素子を有する直管形ＬＥＤランプ１００と、直管形ＬＥＤランプ１００を保持するとともに直管形ＬＥＤランプ１００に給電する照明器具２００と、を備えている。
【００１５】
直管形ＬＥＤランプ１００は、ＬＥＤ素子の光を透過する樹脂製（例えば、アクリル樹脂）の透光部１０１（図４参照）と、ＬＥＤ素子から発する熱を放熱する金属製（例えば、アルミニウム）の放熱部１０２（図４参照）とで、円筒形状の管が形成され、円筒形状の管の内部に、ＬＥＤ素子が配列された基板１０３（図４参照）が配置されている。また、直管形ＬＥＤランプ１００の両端には、口金１０４Ａ，１０４Ｂが設けられている。
【００１６】
照明器具２００は、器具ベース２０１と、ソケット２０２Ａ，２０２Ｂと、器具ベース２０１を覆う器具カバー２０３と、保持具１と、を備えている。
ソケット２０２Ａ，２０２Ｂは、器具ベース２０１に固定され、直管形ＬＥＤランプ１００の口金１０４Ａ，１０４Ｂと嵌合することができるようになっている。
【００１７】
なお、照明器具２００から直管形ＬＥＤランプ１００への給電は、特許文献２のように、交流電流を給電する方式であってもよく、特許文献３のように、直流電流を給電する方式であってもよい。
また、特許文献２のように、給電のためのコネクタ（図示せず）を介して照明器具２００から直管形ＬＥＤランプ１００へ給電する方式であって、ソケット２０２Ａ，２０２Ｂには通電されず、直管形ＬＥＤランプ１００を機械的に保持する保持機構としての役割を果たすものであってもよく、特許文献３のように、照明器具２００のソケット２０２Ａ，２０２Ｂと直管形ＬＥＤランプ１００の口金１０４Ａ，１０４Ｂとを介して給電する方式であって、ソケット２０２Ａ，２０２Ｂは給電機構としての役割を果たすとともに、直管形ＬＥＤランプ１００を機械的に保持する保持機構としての役割を果たすものであってもよい。
【００１８】
＜保持具の構成＞
照明器具２００は、長手方向（直管形ＬＥＤランプ１００を保持するソケット２０２Ａとソケット２０２Ｂとを結ぶ方向）の略中央に、直管形ＬＥＤランプ１００を保持する保持具１を備えており、直管形ＬＥＤランプ１００が長手方向に沿ってたわむことを抑止することができるようになっている。
【００１９】
次に、図２および図３を用いて照明器具２００が備える保持具１の構成について説明する。なお、図２および図３は、図１とは上下が反対に図示されている。
図２（ａ）は、保持具１の斜視図である。
保持具１は、ホルダ１０と、係止部材２０と、スペーサ３０と、を備え、ネジ４０（後述する図３および図４参照）により、固定面である器具カバー２０３（器具ベース２０１）（図１および後述する図４参照）に固定されている。
【００２０】
図２（ｂ）は、ホルダ１０の斜視図である。
ホルダ１０は、直管形ＬＥＤランプ１００を保持する部材であり、適度の硬さと適度の弾力性を持つ帯板を、打ち抜き加工、曲げ加工して、開口部１０ａを有するように形成され、直管形ＬＥＤランプ１００を着脱自在に保持することができるようになっている。なお、ホルダ１０は、経年劣化を防ぐため、金属製（例えば、鉄、ＳＵＳ）であることが望ましい。
【００２１】
開口部１０ａの一端側である回動端１１は、ｏ形状に曲げ加工されている。一方、開口部１０ａの他端側である開閉端１２は、一部が開口したｃ形状に曲げ加工されている。
また、ホルダ１０は、曲げ加工により、直管形ＬＥＤランプ１００を挟持して保持するための第１ホルダ部１３Ａが先端側におよび第２ホルダ部１３Ｂが基端側に形成されている。なお、第１ホルダ部１３Ａおよび第２ホルダ部１３Ｂにわたって切り抜き１３ｈが形成されており、ホルダ１０の弾力性が調整されている。
また、ホルダ１０の底部１４（器具カバー２０３に固定される側）には、保持具１を器具カバー２０３に固定するためのネジ４０（後述する図３および図４参照）が貫通する貫通孔１４ｈが形成されている。
【００２２】
図２（ｃ）は、係止部材２０の斜視図である。
係止部材２０は、ホルダ１０の開口部１０ａを開放状態、または閉塞状態とするための部材であり、適度の硬さを持つ棒材を曲げ加工して形成される。なお、係止部材２０も、経年劣化を防ぐため、金属製（例えば、鉄、ＳＵＳ）であることが望ましい。
係止部材２０は、一辺の略中央部が切断された略矩形環に形成されており、略中央部が切断された一辺である回動軸部２１と、回動軸部２１と対向する一辺である係止部２２と、が形成されている。
【００２３】
回動軸部２１は、ホルダ１０の回動端１１に挿入され、回動端１１に挿入された回動軸部２１を回転軸として係止部材２０が回動することができるようになっている。
ホルダ１０の回動端１１と開閉端１２とが近づくように弾性変形させ、係止部材２０を回転（図４において時計回り）させることにより、係止部材２０の係止部２２がホルダ１０の開閉端１２に係止される状態にすることができるようになっている。また、係止部２２が開閉端１２に係止される状態から、回動端１１と開閉端１２とが近づくように弾性変形させ、係止部材２０を開閉端１２方向に逆方向に回転（図４において反時計回り）させることにより、係止を解除することができるようになっている。
係止部２２がホルダ１０の開閉端１２に係止されることにより、ホルダ１０の開口部１０ａを閉塞状態（後述する図４（ｂ）（ｃ）参照）とすることができるようになっており、係止部２２と開閉端１２との係止が解除されることにより、ホルダ１０の開口部１０ａを開放状態（後述する図４（ａ）参照）とすることができるようになっている。
【００２４】
図２（ｄ）は、スペーサ３０の斜視図である。
スペーサ３０は、ホルダ１０の高さ方向の位置を調整するとともに、ホルダ１０と器具カバー２０３（器具ベース２０１）とを電気的に絶縁するための部材である。なお、スペーサ３０は樹脂製の絶縁素材（例えば、ポリプロピレン、ポリカーボネート）であることが望ましい。
スペーサ３０は、固定面である器具カバー２０３と接するベース部３１と、ネジ孔３２ｈおよび突起部３２ａが形成された押さえ部３２とを有している。
【００２５】
図３を用いて、ホルダ１０、スペーサ３０およびネジ４０の関係について更に説明する。図３は、保持具１の一部を拡大した断面図である。
図３に示すように、スペーサ３０の押さえ部３２に形成されたネジ孔３２ｈに沿って、ベース部３１の方向に、突起部３２ａが形成されている。
ホルダ１０をスペーサ３０のベース部３１と押さえ部３２との間に挿入すると、スペーサ３０の突起部３２ａがホルダ１０の貫通孔１４ｈに入り込むので、ホルダ１０とスペーサ３０とが容易に分離することができないようになる。
これにより、保持具１をネジ４０で器具カバー２０３（図１および後述する図４参照）に固定する際、ホルダ１０とスペーサ３０とが容易に分離することを抑止できるので、組み付け作業の作業性を向上させることができる。
【００２６】
また、ネジ孔３２ｈに沿って形成された突起部３２ａがホルダ１０の貫通孔１４ｈに入り込むため、ホルダ１０とネジ４０とが接することが抑止できる。
これにより、絶縁素材のスペーサ３０により、ホルダ１０とネジ４０とが絶縁され、即ち、ホルダ１０とネジ４０が固定される器具カバー２０３（器具ベース２０１）とを絶縁することができるようになっている。
【００２７】
＜保持具の作用＞
次に、図４を用いて照明器具２００が備える保持具１の作用について説明する。図４は、直管形ＬＥＤランプ１００および保持具１を備える照明器具２００を、長手方向を法線とする面で切断した断面図である。
【００２８】
図４（ａ）は、係止部材２０の係止部２２とホルダ１０の開閉端１２との係止が解除されている状態を示す。
図４（ａ）に示すように、ホルダ１０の開口部１０ａは開放状態となっており、直管形ＬＥＤランプ１００を保持具１（ホルダ１０）に自在に着脱することができるようになっている。
【００２９】
図４（ｂ）は、直管形ＬＥＤランプ１００をホルダ１０の第１ホルダ部１３Ａで保持し、係止部材２０の係止部２２がホルダ１０の開閉端１２に係止されている状態を示す。
図４（ｂ）に示すように、直管形ＬＥＤランプ１００が第１ホルダ部１３Ａで保持されているので、直管形ＬＥＤランプ１００が長手方向に沿ってたわむことを抑止し、直管形ＬＥＤランプ１００が照明器具２００から脱落することを抑止することができる。
また、ホルダ１０の開口部１０ａは、係止部材２０により閉塞状態となっており、ホルダ１０はこれ以上広がることができないようになっている。このため、直管形蛍光ランプと比較して重い直管形ＬＥＤランプ１００であっても、保持具１で直管形ＬＥＤランプ１００を保持することができるようになっている。
【００３０】
図４（ｃ）は、直管形ＬＥＤランプ１００をホルダ１０の第２ホルダ部１３Ｂで保持し、係止部材２０の係止部２２がホルダ１０の開閉端１２に係止されている状態を示す。
図４（ｃ）に示すように、直管形ＬＥＤランプ１００が第２ホルダ部１３Ｂで保持されているので、直管形ＬＥＤランプ１００が長手方向に沿ってたわむことを抑止し、直管形ＬＥＤランプ１００が照明器具２００から脱落することを抑止することができる。
また、ホルダ１０の開口部１０ａは、係止部材２０により閉塞状態となっており、ホルダ１０はこれ以上広がることができないようになっている。このため、第２ホルダ部１３Ｂにおいても保持力が向上し、直管形蛍光ランプと比較して重い直管形ＬＥＤランプ１００であっても、保持具１で直管形ＬＥＤランプ１００を保持することができるようになっている。
【００３１】
保持具１は、図４（ｂ）および図４（ｃ）に示すように、保持具１の固定面である器具カバー２０３からの高さが異なる位置で直管形ＬＥＤランプ１００を保持することができるようになっている。
このため、ソケット２０２Ａ，２０２Ｂの形状が異なる（直管形ＬＥＤランプ１００をソケット２０２Ａ，２０２Ｂに取り付けた際、器具カバー２０３から直管形ＬＥＤランプ１００までの高さが異なる）照明器具２００であっても、第１実施形態の保持具１を使用することができる。特に、直管形蛍光ランプを使用する照明器具を換装して、ＬＥＤランプ１００を使用する照明器具２００に換装する場合、第１実施形態の保持具１はソケットの形状が異なる照明器具に対応することができるので、直管形蛍光ランプを使用する照明器具に取り付けられているソケットを再利用することができる。
また、ベース部３１の高さが異なるスペーサ３０を適宜組み合せて保持具１を構成することにより、より適切な位置で直管形ＬＥＤランプ１００を保持することができる保持具１とすることができる。
【００３２】
なお、図４（ｃ）に示すように、直管形ＬＥＤランプ１００の金属製の放熱部１０２と保持具１の金属製のホルダ１０とが接触して導通可能な状態となる場合があるが、図３に示すように、スペーサ３０によりホルダ１０とネジ４０（即ち、器具ベース２０１および器具カバー２０３）とは絶縁されている。放熱部１０２に外部からの電位が印加されることがないようになっている。これは、放熱部１０２と基板１０３上の回路パターンとは距離が短いため、ＬＥＤ素子の駆動電圧を大きく超える電位が放熱部１０２に印加されると、放熱部１０２と基板１０３上の回路パターンとの絶縁が破壊されるおそれがあるためである。
【００３３】
＜変形例：逆富士形照明器具＞
図１および図４において、保持具１を備える照明器具２００は、トラフ形であり保持具１の固定面（器具カバー２０３）が水平である場合について説明したが、これに限られるものではない。２灯式の逆富士形照明器具のように保持具１の固定面が傾斜していてもよい。図５は、直管形ＬＥＤランプ１００および保持具１を備える逆富士形の照明器具２１０を、長手方向を法線とする面で切断した断面図である。
【００３４】
図５に示すように、逆富士形の照明器具２１０において、保持具１は、ホルダ１０の回動端１１がホルダ１０の開閉端１２よりも下方となるように配置されることが望ましい。
このように保持具１を配置することにより、係止部材２０の係止部２２とホルダ１０の開閉端１２との係止が解除されている状態において、係止部材２０が重力により垂れ下がり（破線で示す係止部材２０参照）、ホルダ１０の開閉端１２と、係止部材２０の係止部２２とが大きく離れるので、係止部材２０が係止状態で有るか否かを容易に判断することができるようになっている。
また、直管形ＬＥＤランプ１００の交換時において、係止部材２０がホルダ１０の回動端１１から垂れ下がるため、ホルダ１０の開口部１０ａをふさぐことなく、直管形ＬＥＤランプ１００の交換作業の邪魔にならないようになっている。
【００３５】
また、直管形ＬＥＤランプ１００がたわんでも、係止部材２０の係止部２２がホルダ１０の開閉端１２に係止されている状態を維持するようになっているため、直管形ＬＥＤランプ１００を保持具１で保持することができる。
【００３６】
＜変形例：照明器具２００への直管形ＬＥＤランプ１００の取り付け方法＞
ここまでは、ソケット２０２Ａ，２０２Ｂ（図１参照）の位置に対応する第１ホルダ部１３Ａまたは第２ホルダ部１３Ｂで直管形ＬＥＤランプ１００を保持した状態でホルダ１０を弾性変形させ係止部材２０により係止するものとして説明した。
しかし、開口部１０ａの側である第１ホルダ部１３Ａに直管形ＬＥＤランプ１００を保持した状態において、ホルダ１０を弾性変形させ係止部材２０により係止する場合、弾性変形する領域が短いため、変形させるのに大きな力が必要となる場合がある。
【００３７】
図６は、直管形ＬＥＤランプ１００の取り付け方法の変形例である。なお、ソケット２０２Ａ，２０２Ｂは、つきあわせ形のソケットであり、ソケット２０２Ａが可動側、ソケット２０２Ｂが固定側として説明する。
図６（ａ）の示す係止部材２０の係止が解除されホルダ１０の開口部１０ａ（図２参照）が開放されている状態から、直管形ＬＥＤランプ１００をホルダ１０の第２ホルダ部１３Ｂで保持する状態でホルダ１０の回動端１１（図２参照）と開閉端１２（図２参照）とが近づくように弾性変形させ、図６（ｂ）に示す係止部材２０が係止される状態にする。
この際、ホルダ１０の第１ホルダ部１３Ａから回動端１１、開閉端１２までを弾性変形させるため、大きな力を必要とせず弾性変形させることができる。
【００３８】
そして、図６（ｃ）に示すように、直管形ＬＥＤランプ１００の口金１０４Ａをソケット２０２Ａに押し込みながら、直管形ＬＥＤランプ１００を第２ホルダ部１３Ｂの位置から第１ホルダ部１３Ａの位置へ移動させ、図６（ｄ）に示すように、直管形ＬＥＤランプ１００の口金１０４Ｂをソケット２０２Ｂに嵌合させることにより、直管形ＬＥＤランプ１００を照明器具２００に取り付けることができる。
この際、作業者は、直管形ＬＥＤランプ１００を把持して第２ホルダ部１３Ｂの位置から第１ホルダ部１３Ａの位置へ移動させる。
【００３９】
このように、図６（ａ）から（ｄ）に示す手順で直管形ＬＥＤランプ１００を照明器具２００に取り付けることにより、作業性が向上する。なお、直管形ＬＥＤランプ１００を照明器具２００から取り外す場合には、図６（ａ）から（ｄ）に示す手順を逆に行えばよい。
【００４０】
≪第２実施形態≫
次に、第２実施形態に係る照明装置について説明する。
第２実施形態に係る照明装置は、第１実施形態に係る照明装置（図１参照）と比較して、保持具の構成が異なっている。その他の構成は同様であり、説明を省略する。
【００４１】
図７は、第２実施形態に係る照明装置に用いられる保持具１Ａを説明する図であり、（ａ）は保持具１Ａの分解斜視図である。
保持具１Ａは、吊り下げ部材５０と、係止保持部材６０と、照明器具２００の器具カバー２０３に保持具１Ａを固定するためのネジ４０と、を備えている。
【００４２】
図７(ａ)に示すように、吊り下げ部材５０は、底部５１と、吊り下げ部材５０の両端に設けられた側面部５２と、により構成され、ネジ４０により照明器具２００の器具カバー２０３に固定される部材である。なお、経年劣化を防ぐため、吊り下げ部材５０は金属製（例えば、鉄、ＳＵＳ）であることが望ましい。
吊り下げ部材５０の底部５１（器具カバー２０３に固定される側）には、ネジ４０が貫通する貫通孔５１ｈが形成されている。
吊り下げ部材５０の側面部５２には、底部５１の側が広く開口する略Ｔ字形状の係止穴５３Ａ、係止穴５３Ｂが形成されている。
【００４３】
図７(ａ)に示すように、係止保持部材６０は、略Ｕ字状の部材であり、両端の先端には、係止部６１と、くびれ部６２とが形成されている。なお、経年劣化を防ぐため、係止保持部材６０も金属製（例えば、鉄、ＳＵＳ）であることが望ましい。
係止部６１の幅は、略Ｔ字形状の係止穴５３Ａ、係止穴５３Ｂのうち底部５１の側の広く開口した領域を通過することができるようになっているが、略Ｔ字形状の係止穴５３Ａ、係止穴５３Ｂのうち底部５１の側とは反対側の狭く開口した領域を通過することができないようになっている。
くびれ部６２の幅は、略Ｔ字形状の係止穴５３Ａ、係止穴５３Ｂのうち底部５１の側の広く開口した領域および底部５１の側とは反対側の狭く開口した領域を通過することができるようになっている。
【００４４】
図７（ｂ）は保持具１Ａが直管形ＬＥＤランプ１００を保持している状態の斜視図である。
係止保持部材６０の係止部６１が、略Ｔ字形状の係止穴５３Ａのうち底部５１の側の広く開口した領域を通過して、底部５１の側とは反対側の狭く開口した領域を通過することができないため、係止部６１が係止穴５３Ａに係止され、保持具１Ａ（吊り下げ部材５０、係止保持部材６０、ネジ４０）で直管形ＬＥＤランプ１００を保持することができるようになっている。
【００４５】
このように保持具１Ａは、直管形ＬＥＤランプ１００を保持することができる。また、保持具１Ａの吊り下げ部材５０および係止保持部材６０は、帯板を打ち抜き加工、曲げ加工して、製作することができる。
なお、図７（ｂ）において、係止部６１を係止穴５３Ａに挿入して係止するものとして説明したが、係止部６１を係止穴５３Ｂに挿入して係止してもよい。これにより、保持具１Ａの固定面である器具カバー２０３からの高さが異なる位置で直管形ＬＥＤランプ１００を保持することができる。
【００４６】
≪第３実施形態≫
次に、第３実施形態に係る照明装置について説明する。
第３実施形態に係る照明装置は、第１実施形態に係る照明装置（図１参照）と比較して、保持具の構成が異なっている。その他の構成は同様であり、説明を省略する。
【００４７】
図８は、第３実施形態に係る照明装置に用いられる保持具１Ｂを説明する図であり、（ａ）は保持具１Ｂの分解斜視図であり、（ｂ）は保持具１Ｂが直管形ＬＥＤランプ１００を保持している状態の斜視図である。
保持具１Ｂは、吊り下げ部材５５と、係止保持部材６０と、照明器具２００の器具カバー２０３に保持具１Ｂを固定するためのネジ４０と、を備えている。
【００４８】
図８(ａ)に示すように、吊り下げ部材５５は、底部５６と、底部５６の両側に設けられた屈曲部５７と、吊り下げ部材５５の両端に設けられた側面部５８と、により構成され、ネジ４０により照明器具２００の器具カバー２０３に固定される部材である。なお、経年劣化を防ぐため、吊り下げ部材５５は金属製（例えば、鉄、ＳＵＳ）であることが望ましい。
吊り下げ部材５５の底部５６（器具カバー２０３に固定される側）には、ネジ４０が貫通する貫通孔５６ｈが形成されている。
吊り下げ部材５５の屈曲部５７から側面部５８にわたって、係止穴５９が形成されている。係止穴５９は、屈曲部５７において広く開口し、側面部５８において狭く開口する。
【００４９】
図８(ａ)に示すように、係止保持部材６０は、略Ｕ字状の部材であり、両端の先端には、係止部６１と、くびれ部６２とが形成されている。なお、経年劣化を防ぐため、係止保持部材６０も金属製（例えば、鉄、ＳＵＳ）であることが望ましい。
係止部６１の幅は、係止穴５９のうち屈曲部５７の広く開口した領域を通過することができるようになっているが、係止穴５９のうち側面部５８の狭く開口した領域を通過することができないようになっている。
くびれ部６２の幅は、係止穴５９のうち屈曲部５７の広く開口した領域および側面部５８の狭く開口した領域を通過することができるようになっている。
【００５０】
図８（ｂ）は保持具１Ｂが直管形ＬＥＤランプ１００を保持している状態の斜視図である。
係止保持部材６０の係止部６１が、係止穴５９のうち屈曲部５７の広く開口した領域を通過して、係止穴５９のうち側面部５８の狭く開口した領域を通過することができないため、係止部６１が係止穴５９に係止され、保持具１Ｂ（吊り下げ部材５５、係止保持部材６０、ネジ４０）で直管形ＬＥＤランプ１００を保持することができるようになっている。
【００５１】
このように保持具１Ｂは、直管形ＬＥＤランプ１００を保持することができる。また、保持具１Ｂの吊り下げ部材５５および係止保持部材６０は、帯板を打ち抜き加工、曲げ加工して、製作することができる。
【００５２】
また、係止保持部材６０の係止部６１を吊り下げ部材５５の係止穴５９に係止させる際には、係止保持部材６０を器具カバー２０３の方向に移動させ係止部６１が係止穴５９のうち屈曲部５７の広く開口した領域を通過させた後、係止保持部材６０の両端の係止部６１が離れるように付勢しながら係止保持部材６０を器具カバー２０３の方向とは逆方向に移動させることにより係止させることができるので、第２実施形態に係る保持具１Ａと比較して、容易に係止させることができる。
【００５３】
＜その他の変形例＞
なお、本発明は、上記第１から第３実施形態の構成に限定されるものではなく、発明の趣旨を逸脱しない範囲内で種々の変更が可能である。
【００５４】
第１実施形態に係る保持具１および第２実施形態に係る保持具１Ａにおいて、直管形ＬＥＤランプ１００を保持可能な位置が２ヶ所（第１実施形態において、第１ホルダ部１３Ａ、第２ホルダ部１３Ｂ。第２実施形態において、係止穴５３Ａ，５３Ｂによって決定される直管形ＬＥＤランプ１００の保持位置）あるものとして説明したが、これに限られるものではない。ホルダ１０の形状や吊り下げ部材５０の形状を変更して、３ヶ所以上の直管形ＬＥＤランプ１００を保持可能な位置が形成されていてもよく、直管形ＬＥＤランプ１００を保持可能な位置が１ヶ所のみであってもよい。
また、図１において、照明器具２００は１本の直管形ＬＥＤランプ１００に対して１つの保持具１が設けられているものとして説明したが、これに限られるものではなく、１本の直管形ＬＥＤランプ１００に対して複数の保持具１が設けられている照明器具であってもよい。
【００５５】
第２実施形態に係る保持具１Ａおよび第３実施形態に係る保持具１Ｂにおいて、図７（ｂ）および図８（ｂ）に示すように、係止保持部材６０が樹脂製の透光部１０１で直管形ＬＥＤランプ１００を保持するようになっているため、吊り下げ部材５０，５５と器具カバー２０３とは直接取り付けられているものとしたが、これに限られるもののではなく、第１実施形態に係る保持具１と同様に絶縁素材からなるスペーサを介して、吊り下げ部材５０，５５と器具カバー２０３（器具ベース２０１）とが絶縁されるように構成されていてもよい。
【符号の説明】
【００５６】
１，１Ａ，１Ｂ  保持具
１０            ホルダ
１０ａ          開口部
１１            回動端（係止機構）
１２            開閉端（係止機構）
１３Ａ          第１ホルダ部（保持位置）
１３Ｂ          第２ホルダ部（保持位置）
１３ｈ          切り抜き
１４            底部
１４ｈ          貫通孔
２０            係止部材（係止機構）
２１            回動軸部（係止機構）
２２            係止部（係止機構）
３０            スペーサ（絶縁部材）
３１            ベース部
３２            押さえ部
３２ａ          突起部
３２ｈ          ネジ孔
４０            ネジ
５０，５５      吊り下げ部材
５１，５６      底部
５１ｈ，５６ｈ  貫通孔
５２，５８      側面部
５３Ａ，５３Ｂ，５９  係止穴（係止機構）
５７            屈曲部
６０            係止保持部材
６１            係止部（係止機構）
６２            くびれ部（係止機構）
１００          直管形ＬＥＤランプ
１０１          透光部
１０２          放熱部
１０３          基板
１０４Ａ，１０４Ｂ  口金
２００，２１０  照明器具
２０１          器具ベース
２０２Ａ，２０２Ｂ  ソケット
２０３          器具カバー
【図１】
0005730791.tif 000002
【図２】
0005730791.tif 000003
【図３】
0005730791.tif 000004
【図４】
0005730791.tif 000005
【図５】
0005730791.tif 000006
【図６】
0005730791.tif 000007
【図７】
0005730791.tif 000008
【図８】
0005730791.tif 000009